(57)【要約】  複数の医用画像を表示する際の表示操作を容易かつ円滑にすることができる表示処理装置を提供する。  表示処理装置では、表示領域について設定された領域区分に対応して定められた医用画像の表示レイアウト情報を記憶部に記憶している。操作部を介して表示対象の医用画像について前記表示画面における表示位置が指定されると、制御部は指定された表示位置が属する表示領域の領域区分を判別し、当該領域区分に対応する表示レイアウト情報を記憶部から読み出す。そして、読み出した表示レイアウト情報に従って、表示領域の分割、医用画像の表示を行い、医用画像の表示レイアウトを変更する。
2007141995.tif 000002
【特許請求の範囲】
【請求項１】
表示画面上に一又は複数の表示領域を設けて各表示領域に医用画像を表示する表示手段と、
前記表示領域を複数の領域に区分けし、領域区分を設定する区分設定手段と、
前記領域区分に対応して定められた医用画像の表示レイアウト情報を記憶する記憶手段と、
表示対象の医用画像について前記表示画面における表示位置を指定するための操作手段と、
前記操作手段を介して指定された表示位置が属する表示領域の領域区分を判別し、当該領域区分に対応する表示レイアウト情報に従って、前記表示画面上における医用画像の表示レイアウトを変更する表示制御手段と、
を備えることを特徴とする表示処理装置。
【請求項２】
前記表示レイアウト情報には、前記領域区分に対応して表示領域の分割方法が指定されており、
前記表示制御手段は、前記表示レイアウト情報に定められた分割方法に従って、前記指定された表示位置が属する表示領域を分割し、その分割領域の何れかに表示対象の医用画像を表示することを特徴とする請求の範囲第１項に記載の表示処理装置。
【請求項３】
前記表示レイアウト情報には、前記分割方法に従って分割された分割領域のうち、医用画像を配置する分割領域が指定されており、
前記表示制御手段は、前記表示レイアウト情報に従って前記分割された各分割領域のうち、指定された分割領域に表示対象の医用画像を配置することを特徴とする請求の範囲第２項に記載の表示処理装置。
【請求項４】
前記表示レイアウト情報では、前記領域区分に対応して既に表示されている医用画像と表示対象の医用画像を置き換えて表示する表示方法が定められており、
前記表示制御手段は、前記表示レイアウト情報に従って、前記指定された表示位置が属する表示領域に既に表示されている医用画像を、前記表示対象の医用画像に置き換えて表示することを特徴とする請求の範囲第１項又は第２項に記載の表示処理装置。
【発明の詳細な説明】
【技術分野】
【０００１】
本発明は、医用画像の表示処理を行う表示処理装置に関する。
【背景技術】
【０００２】
患者を検査撮影して得られる医用画像は、撮影方法や撮影装置を変えて一検査で複数枚撮影されることが多い。また、ＣＴ（Computed Tomography）やＭＲＩ（Magnetic Resonance Imaging）による撮影を行った場合には一回の撮影で１００枚近くの医用画像が得られる。【０００３】
このような複数の医用画像をモニタ上に表示して読影を行う際には、モニタの表示画面の表示領域を複数に分割して各表示領域に医用画像を配置する等、一画面上に複数の医用画像を同時に表示させることにより、比較読影を行うことが多い。【０００４】
従来から、観察しやすい表示レイアウトを構成する技術として、任意の大きさ、位置の表示領域に表示された複数の画像を予め登録したレイアウトパターンに割付直して再表示する方法が開示されている（例えば、特許文献１参照）。また、異なる表示領域間で任意の位置に画像を移動して表示させることが可能なものもある（例えば、特許文献２参照）。
【特許文献１】特開平５−７４７５０号公報
【特許文献２】特開平５−６６９１２号公報
【発明の開示】
【発明が解決しようとする課題】
【０００５】
しかしながら、上述した特許文献１に記載の方法によれば、表示されていた医用画像が自動的にレイアウトパターンに割り付けられるため、分割表示された際に医用画像を表示すべき位置を医師が選択することができない。その結果、所望のレイアウト構成とすることができない。
また、特許文献２に記載の方法によれば、決められた表示エリアの枠を超えて任意の位置に医用画像を配置することができるため、自由度が高い反面、各医用画像の配置関係や表示サイズも逐一操作して指定しなければならない。読影対象の画像数が多い医用画像の場合、このような操作は煩雑であり、逆に操作性が低下する。【０００６】
本発明の課題は、複数の医用画像を表示する際の表示操作を容易かつ円滑にすることができる表示処理装置を提供することである。
【課題を解決するための手段】
【０００７】
請求の範囲第１項に記載の発明は、表示処理装置において、
表示画面上に一又は複数の表示領域を設けて各表示領域に医用画像を表示する表示手段と、
前記表示領域を複数の領域に区分けし、領域区分を設定する区分設定手段と、
前記領域区分に対応して定められた医用画像の表示レイアウト情報を記憶する記憶手段と、
表示対象の医用画像について前記表示画面における表示位置を指定するための操作手段と、
前記操作手段を介して指定された表示位置が属する表示領域の領域区分を判別し、当該領域区分に対応する表示レイアウト情報に従って、前記表示画面上における医用画像の表示レイアウトを変更する表示制御手段と、
を備えることを特徴とする。
【発明の効果】
【０００８】
請求の範囲第１項に記載の発明によれば、表示対象の医用画像の表示操作に伴って、その表示操作に応じた表示レイアウトに自動的に変更することができる。従って、複数の医用画像を表示するにあたり、ユーザは所望の表示レイアウトとするための特別な操作を行うことなく、容易かつ円滑に表示操作を行うことが可能となる。【０００９】
請求の範囲第２項、第３項に記載の発明によれば、表示レイアウト情報として医用画像の表示操作とそのレイアウトの変更結果が視覚的に連動するように分割方法又は医用画像を配置する分割領域を定めることにより、ユーザは表示操作によって変更される表示レイアウトを予想しながら、医用画像の表示位置等を決定することができ、操作性が良い。【００１０】
請求の範囲第４項に記載の発明によれば、表示領域の分割によって複数の医用画像を表示するだけでなく、既に表示されている医用画像と置き換えて表示させることも可能となり、様々な表示形態に対応したレイアウト変更を行うことが可能となる。
【図面の簡単な説明】
【００１１】
【図１】本実施形態における表示処理装置の構成を示す図である。
【図２】表示レイアウト情報例を示す図である。
【図３】表示画面例を示す図である。
【図４】医用画像の表示領域に設定された領域区分を示す図である。
【図５】表示処理装置により実行される医用画像の表示処理を説明するフローチャートである。
【図６】表示画面における画像表示部ｄ３２が左右に２分割された後の各分割領域を示す図である。
【図７】左右に２分割された例を示す図であり、分割後の分割領域のそれぞれに設定された領域区分を示す図である。
【図８】左右に２分割された後の分割領域の一方がさらに上下に２分割された例を示す図であり、分割後の分割領域のそれぞれに設定された領域区分を示す図である。
【図９】ポインタのアイコン例を示す図である。
【図１０】分割領域を結合する際の表示画面例を示す図である。
【符号の説明】
【００１２】
１０  表示処理装置
１１  制御部
１２  操作部
１３  表示部
１４  記憶部
１５  通信部
【発明を実施するための最良の形態】
【００１３】
まず、構成を説明する。
図１に、本実施形態における表示処理装置１０の構成を示す。
表示処理装置１０は、医用画像の表示にあたって当該医用画像の表示処理を行うコンピュータ装置であり、図１に示すように制御部１１、操作部１２、表示部１３、記憶部１４、通信部１５を備えて構成されている。【００１４】
制御部１１は、ＣＰＵ（Central Processing Unit）、ＲＡＭ（Random Access Memory）等から構成されている。制御部１１は、記憶部１４に記憶された各種制御プログラムを読み出し、このプログラムに従って各種演算を行う、或いは各部１１〜１５の集中制御を行う。【００１５】
操作部１２は、キーボードやマウス等を備え、これらの操作に応じた操作信号を生成して制御部１１に出力する。【００１６】
表示部１３は、ディスプレイを備え、制御部１１の指示に従って操作画面や医用画像等の各種表示情報をこのディスプレイ上に表示する。【００１７】
記憶部１４は、各種制御プログラムの他、このプログラムの実行に必要なパラメータやデータ、制御部１１の処理結果等を記憶する。
例えば、記憶部１４は医用画像の表示処理プログラムの実行に必要なレイアウトテーブル１４１を備えている。【００１８】
レイアウトテーブル１４１は、表示画面上に医用画像を表示する際の表示レイアウト情報が格納されたものである。
図２にレイアウトテーブル１４１の一例を示す。図２に示す例では、図４に示すように一の表示領域を５つの領域（１）〜（５）に区分し、この５つの領域区分の何れに医用画像の表示位置が属するかによって、当該表示領域の分割方法、当該表示領域への医用画像の表示方法が予め定められた表示レイアウト情報の例を示している。
例えば、図２のレイアウトテーブル１４１では、医用画像の表示位置が領域区分「（１）」に属する場合については、「上下２分割」の分割方法で表示領域を分割し、その分割領域のうち「上側に配置」、つまり上側の分割領域に表示対象の医用画像を配置する表示方法が定められている。【００１９】
ここで、表示画面とはディスプレイ等の表示手段において表示を行うことが可能な領域全体をいう。これに対し、表示領域とは例えば医用画像を表示するウィンドウ等、表示画面上で表示される医用画像の表示単位をいう。表示領域は表示画面全体にわたって一の表示領域が構成される場合もあれば、表示画面をいくつかの領域に分割して複数の表示領域が構成される場合もある。【００２０】
医用画像の表示処理時にはこのレイアウトテーブル１４１に格納された表示レイアウト情報に従って、医用画像の表示レイアウトが変更される。従って、表示レイアウト情報は、ユーザの操作内容と視覚的に連動してレイアウトが変更されるように定めておく。例えば、図２に示した例のように、表示位置として表示領域の上部にあたる領域区分（１）が指定された場合に、当該表示領域を上下に２分割し、その上側の分割領域に表示対象の医用画像を配置するレイアウト等は、ユーザの操作内容（表示領域の上部を指定）とその表示結果であるレイアウト（上側の分割領域に配置された医用画像）が視覚的に一致し、ユーザが操作しやすいものとなる。【００２１】
通信部１５は、ネットワークインターフェイスカード等の通信用インターフェイスを備え、ネットワーク上の外部装置と通信を行う。例えば、通信部１５は医用画像を保有する画像サーバから表示対象の医用画像を受信する。【００２２】
次に、表示処理装置１０の動作について説明する。
医師が医用画像の読影を行うため、操作部１２を介して医用画像の表示指示操作を行うと、表示処理装置１０では制御部１１の制御により表示部１３上に患者リストを表示する。患者リストは患者毎に撮影された医用画像がリスト化されたものである。この患者リストから医師により何れかの医用画像が選択操作されると、制御部１１の制御により選択された医用画像が表示部１３上に表示されることとなる。【００２３】
図３に、その表示画面例を示す。
図３に示す表示画面ｄ３はリスト表示部ｄ３１と画像表示部ｄ３２から構成されている。リスト表示部ｄ３１には患者リストが表示され、画像表示部ｄ３２には患者リストから選択された医用画像のウィンドウＡが表示されている。なお、ウィンドウは医用画像の表示単位となる表示領域であり、一ウィンドウ毎に一の医用画像が表示される。【００２４】
リスト表示部ｄ３１ではリスト表示されている医用画像の関連画像をサムネイル画像ｄ３３により表示することが可能である。関連画像とは例えば同一検査で撮影条件を変えて撮影された他の医用画像等、ある医用画像に関連して撮影された他の医用画像をいう。
画像表示部ｄ３２では一又は複数の医用画像のウィンドウを同時に表示することが可能である。ウィンドウは制御部１１の演算によりその内部領域が、図４に示すように（１）〜（５）の５つの領域に予め区分けされ、領域区分が設定されている。領域区分は、表示領域に対する各領域区分の面積の割合を予め定めておき、この割合に基づいて制御部１１が領域区分を設定することとする。前述したようにこれらの領域区分（１）〜（５）に対応して表示レイアウト情報が定められ、記憶部１４のレイアウトテーブル１４１に格納されている。【００２５】
表示処理装置１０では複数の医用画像を表示する際、比較読影を可能とするため、制御部１１の表示制御により、画像表示部ｄ３２の表示領域を分割してその分割領域に医用画像のウィンドウを配置し、各医用画像が重ねて表示されないようにする。このとき、制御部１１は分割領域の領域サイズに一致するようにウィンドウのサイズを算出し、当該サイズのウィンドウを生成して表示する。また、制御部１１は画像表示部ｄ３２の表示領域に座標を設定し、画像表示部ｄ３２に表示したウィンドウについてはその表示位置の座標値を制御部１１のＲＡＭ内に記憶する等により、各ウィンドウの表示状態や、画像表示部ｄ３２全体の表示領域における分割状態等を常時管理している。【００２６】
図３に示す表示画面ｄ３の状態から複数の医用画像を同時に表示させる場合には、医師は表示対象の医用画像（以下、対象画像という）を指定するとともに、対象画像の表示を行う位置を指定する操作を行う。この指定操作は表示画面ｄ３上に表示されたポインタｐにより可能である。ポインタｐを用いて対象画像をドラッグ操作することにより対象画像を指定し、所望の位置までポインタｐを移動してドロップ操作を行うことにより表示位置の指定を行う。対象画像は患者リストから指定することも可能であるし、関連画像のサムネイル画像ｄ３３群から指定することも可能である。【００２７】
表示処理装置１０では、対象画像のドラッグ操作及びドロップ操作に応じて図５に示す表示処理が開始される。
図５に示す表示処理では、まず操作部１２を介して対象画像のドラッグ操作及びドロップ操作が行われ、対象画像及びその表示位置の指定操作が行われると（ステップＳ１）、制御部１１ではそのドロップ操作により指定された表示位置（以下、指定位置という）の座標値から、指定位置の属するウィンドウと、そのウィンドウにおいて指定位置の属する領域区分を認識する（ステップＳ２）。図４の表示画面例では指定位置の属するウィンドウはウィンドウＡであると認識され、そのウィンドウＡ内で区分けされている領域区分（１）〜（５）が認識されることとなる。【００２８】
次いで、認識した領域区分に応じた表示処理を行うため、制御部１１では認識した領域区分が何れであるかを判別する（ステップＳ３）。認識した指定位置の領域区分が（１）〜（４）の場合（ステップＳ３；（１）〜（４））、ステップＳ４の処理に移行し、指定位置の領域区分が（５）の場合（ステップＳ３；（５））、ステップＳ８の処理に移行する。【００２９】
最初に、領域区分が（１）〜（４）の何れかである場合について説明する。
この場合、制御部１１は領域区分（１）〜（４）に対応する表示レイアウト情報をレイアウトテーブル１４１から読み出す。そして、読み出した表示レイアウト情報により指定されている分割方法に従って認識したウィンドウ内の表示領域を分割する（ステップＳ４）。ここでは、領域区分（４）であった場合について説明する。領域区分が（４）であった場合、図２に示すレイアウトテーブル１４１では「左右２分割」の分割方法が指定されているため、制御部１１はウィンドウＡの表示領域を左右に２分割し、その分割領域のサイズに応じてウィンドウＡを縮小する。縮小後のウィンドウＡをウィンドウＡ１とする。同時に、当該分割領域のサイズに応じた新たなウィンドウＡ２を生成し、当該ウィンドウＡ２上に対象画像を表示する。【００３０】
次いで、制御部１１は表示レイアウト情報により指定されている表示方法に従って、分割領域のうちの一方に対象画像のウィンドウＡ２を配置するとともに、ウィンドウＡ１を他方の分割領域に配置する（ステップＳ５）。領域区分（４）の場合、図２に示すレイアウトテーブル１４１では対象画像の表示方法は「右側に配置」と指定されている。よって、図６に示すように、制御部１１は左右２分割した分割領域のうち右側の分割領域に対象画像のウィンドウＡ２を配置し、左側の分割領域にウィンドウＡ１を配置する。【００３１】
以上のようなステップＳ１〜Ｓ５の処理を繰り返すことにより、表示画面上に複数の医用画像を表示することができる。例えば、図７に示すように、図６に示すウィンドウＡ１、Ａ２についてもウィンドウＡと同様に５つの領域区分が定められることとなる。この領域区分はウィンドウのサイズに応じて制御部１１の演算により求められる。よって、ウィンドウＡ１、Ａ２の表示領域内において新たに対象画像の表示位置を指定することができる。【００３２】
例えばウィンドウＡ２の領域区分（３）内で表示位置が指定されると、制御部１１は表示レイアウト情報に従って図８に示すようにウィンドウＡ２の表示領域を上下に２分割し、その分割領域のサイズに合わせてウィンドウＡ２を縮小したウィンドウＡ２１、対象画像を表示するため新たに生成したウィンドウＡ２２を表示させる。そして、表示レイアウト情報により指定されている下側の分割領域に対象画像のウィンドウＡ２２を配置するとともに、他方の分割領域にウィンドウＡ２１を配置する。【００３３】
一方、上記のように新規の対象画像を指定するのではなく、既に表示されているウィンドウ上の医用画像を対象画像として指定することも可能である。例えば、図８においてウィンドウＡ２２に表示されている医用画像をドラッグ操作し、ウィンドウＡ１の領域区分（３）内でドロップ操作した場合、表示レイアウト情報に従ってウィンドウＡ１の表示領域が上下に２分割され、下側の分割領域にドラッグ操作されたウィンドウＡ２２の医用画像（対象画像）が表示されることとなる。【００３４】
対象画像の表示後、制御部１１は対象画像が患者リストやサムネイル画像から選択された、新規に表示する医用画像であった場合には（ステップＳ６；Ｙ）、何も処理を行わずに本処理を終了する。
一方、対象画像が既にウィンドウ上に表示されている医用画像であった場合（ステップＳ６；Ｎ）、制御部１１はその対象画像が元々表示されていたウィンドウの分割状態を解除する（ステップＳ７）。上記の例のようにウィンドウＡ２２の医用画像をウィンドウＡ１にドロップ操作した場合には、ウィンドウＡ２１、Ａ２２の分割状態を解除する。すなわち、ウィンドウＡ２２を閉じてウィンドウＡ２１をウィンドウＡ２１及びＡ２２の表示領域全体に表示されるように拡大する。【００３５】
次に、ステップＳ３において指定位置の領域区分が（５）であった場合について説明する。
この場合、図２に示すレイアウトテーブル１４１において指定されている分割方法は「分割なし」であり、表示方法は「置換」である。よって、制御部１１は、この表示レイアウト情報に従って指定位置の属するウィンドウにおいて既に表示されている医用画像を、対象画像に置き換えて表示させる（ステップＳ８）。【００３６】
例えば、図８に示すレイアウトにおいてウィンドウＡ２２の表示画像がドラッグ操作され、ウィンドウＡ１の領域区分（５）内でドロップ操作された場合、ウィンドウＡ１において表示されていた医用画像を、ウィンドウＡ２２において表示されていた対象画像に置き換えて表示させる。【００３７】
置換後は、ステップＳ６の処理に移行する。すなわち、置き換え表示した対象画像が既に何れかのウィンドウに表示されていた医用画像であればその医用画像が表示されていたウィンドウにおける分割状態を解除するものである。上記例の場合は、ウィンドウＡ２２を閉じてウィンドウＡ２１をウィンドウＡ２１及びＡ２２の表示領域全体に拡大する。その結果、医用画像のレイアウトは図８に示すレイアウトから図７に示すレイアウトに変更となる。【００３８】
以上のように、本実施形態によれば、複数の医用画像を表示する場合、表示レイアウト情報に従って、対象画像の表示指定位置に応じた分割、表示を行う。これにより、対象画像及びその表示位置の指定操作に伴ってその指定操作に応じた表示レイアウトに自動的に変更することができる。従って、複数の医用画像を表示するにあたり、ユーザは所望のレイアウトとするための特別な操作を行う必要がなく、容易かつ円滑に表示操作を行うことが可能となる。【００３９】
また、表示レイアウト情報は、医用画像の表示位置の指定操作に係る操作内容と連動するように、表示領域の分割方法及び医用画像の表示方法が定められているので、ユーザは指定操作後のレイアウトを視覚的に予想しながら表示位置の指定操作を行うことができ、操作性が向上する。【００４０】
また、表示レイアウト情報として、置換の表示方法を定めておくことにより、表示領域の分割によって複数の医用画像を表示するだけでなく、既に表示されている医用画像と置き換えて表示させることも可能となり、様々な表示操作に対応したレイアウト変更を行うことができる。【００４１】
なお、上記実施形態は本発明の好適な一例であり、これに限定されるものではない。
例えば、領域区分（５）に該当する場合には医用画像の置換表示を行う例を説明したが、置換するのではなく、元々ある医用画像が表示されていたウィンドウ上に対象画像のウィンドウを重ねて表示するスタック表示とすることとしてもよい。【００４２】
また、対象画像のドラッグ操作及びドロップ操作を行う際に用いるポインタのアイコン形状を、図９に示すような形状としてもよい。
図９に示す例１は、ポインタが表示されている領域区分（１）〜（５）をユーザが視覚的に把握できるように形成されたアイコン形状を示す例である。これは方形のアイコンについて各領域区分（１）〜（５）の形状に応じた部分に色を付すことにより、ポインタが位置する領域区分（１）〜（５）を示すように形成されている。なお、領域区分（５）の場合、置換する場合とスタック表示する場合とで２種類のアイコン形状を示している。【００４３】
一方、例２はポインタが置かれた領域区分（１）〜（５）に対象画像がドロップ操作されたときのレイアウトの変更結果を、ユーザが視覚的に把握できるように形成されたアイコン形状を示す例である。これは方形のアイコンに分割後の分割領域を示す境界線を設定して分割状態を示すとともに、その分割領域の何れかに色を付すことにより、何れに対象画像が配置されるのかを示すように形成されている。【００４４】
これらのアイコンは、制御部１１の表示制御によって表示される。制御部１１は、通常時にはポインタを矢印の形状としておき、ある医用画像のウィンドウにポインタが進入するとその表示領域におけるポインタの位置を判別し、当該ポインタ位置の属する領域区分を認識する。そして、ポインタのアイコン形状を認識した領域区分に応じたアイコン形状に変更して表示させる。
このように、ポインタの位置に応じたアイコン形状とすることにより、ユーザはそのポインタのアイコン形状によりドロップ操作によって変更されるレイアウトを予測しながら、ドラッグ操作を行うことができ、操作性がより向上する。【００４５】
また、分割状態にあるウィンドウの消去操作がなされた際にその分割状態を解除し、他方の分割領域にあるウィンドウを拡大表示して分割領域の結合を行うこととしてもよい。この場合、ウィンドウの消去操作の際に結合方向を指定できることとしてもよい。例えば、図１０に示すように２×２の分割状態にある表示画面ｄ１においてウィンドウＡ１２に設けられた画像消去のアイコンｄ１１が操作されると、その操作に伴ってプルダウンメニューｄ１２を制御部１１の表示制御により表示させる。このプルダウンメニューｄ１２は、表示画像を消去した際に隣接する分割領域（上側、右側にある分割領域）のうち何れの分割領域と結合するのかを選択するためのアイコンを表示するものである。制御部１１では各ウィンドウの表示位置から結合可能な分割領域を判断し、その結合方向を示すアイコンを表示させるものとする。【００４６】
プルダウンメニューｄ１２において、右側の分割領域と結合することを示すアイコンが操作されると、制御部１１は消去指示されたウィンドウＡ１２を閉じて消去するとともに、右側の分割領域との分割状態を解除し、ウィンドウＡ１２及びＡ２２の表示領域全体にウィンドウＡ２２を拡大表示する。その結果が表示画面ｄ２である。
このように、表示画像の消去時に結合できる分割領域を判断し、その結合方向を選択させるプルダウンメニューｄ１２を表示することにより、ユーザは容易な操作で所望する方向に分割領域を結合させることができ、円滑な操作を行うことが可能となる。
【産業上の利用可能性】
【００４７】
医用画像の表示技術分野において利用することが可能である。
【図１】
2007141995.tif 000003
【図２】
2007141995.tif 000004
【図３】
2007141995.tif 000005
【図４】
2007141995.tif 000006
【図５】
2007141995.tif 000007
【図６】
2007141995.tif 000008
【図７】
2007141995.tif 000009
【図８】
2007141995.tif 000010
【図９】
2007141995.tif 000011
【図１０】
2007141995.tif 000012
【手続補正書】
【提出日】平成20年12月5日(2008.12.5)
【手続補正１】
【補正対象書類名】明細書
【補正対象項目名】０００４
【補正方法】変更
【補正の内容】
【０００４】
従来から、観察しやすい表示レイアウトを構成する技術として、任意の大きさ、位置の表示領域に表示された複数の画像を予め登録したレイアウトパターンに割付直して再表示する方法が開示されている（例えば、特許文献１参照）。また、異なる表示領域間で任意の位置に画像を移動して表示させることが可能なものもある（例えば、特許文献２参照）。
特許文献１：特開平６−２８９５８７号公報
特許文献２：特開平５−６６９１２号公報
【国際調査報告】
2007141995.tif 000013
2007141995.tif 000014